(57)【要約】  液体投与具１０は、内部に液体を充填可能な内筒３と、両頭針７１と、外筒４とを備える内側構造体１と、前記液体を両頭針７１から吐出させる押圧操作を行なう操作部材５と、両頭針７１の針先を覆う位置（Ａ）と、前記針先が露出する位置（Ｂ）との間を移動可能なカバー部材６と、カバー部材６を先端方向に付勢するコイルバネ１３と、カバー部材６が位置（Ｂ）から位置（Ａ）に移動し、カバー部材６の移動量がロック可能移動量に達すると、カバー部材６の位置（Ｂ）への移動を規制するロック部５０と、カバー部材６が位置（Ｂ）に位置し、押圧操作が完了するまで、カバー部材６の移動量がロック可能移動量に達しないようにカバー部材６の移動量を規制する移動量規制部８０とを備える。
2015037545.tif 000002
【特許請求の範囲】
【請求項１】
先端部に底部、基端部に開口部を有し、内部に液体を充填可能な筒体と、該筒体の先端部に位置し、先端に鋭利な針先を有し、基端が前記筒体の内部と連通可能な針管とを備える構造体と、
押し子を有し、該押し子を先端方向に移動して、前記液体を前記針管から吐出させる押圧操作を行なう操作部材と、
前記針管の少なくとも前記針先を覆う位置（Ａ）と、該位置（Ａ）から基端方向に退避して、前記針先が露出する位置（Ｂ）との間を移動可能なカバー部材と、
前記カバー部材を先端方向に付勢する付勢部材と、
前記付勢部材の付勢力により前記カバー部材が前記位置（Ｂ）から前記位置（Ａ）に移動し、前記カバー部材の移動量がロック可能移動量に達すると、前記カバー部材の前記位置（Ｂ）への移動を規制するロック部と、
前記カバー部材が前記位置（Ｂ）に位置し、前記押圧操作が完了するまで、前記付勢部材の付勢力により前記カバー部材が先端方向に移動する際の移動量が前記ロック可能移動量に達しないように前記カバー部材の移動量を規制する移動量規制部とを備えることを特徴とする液体投与具。
【請求項２】
前記カバー部材は、筒状をなすカバー本体と、
前記カバー本体に対し、その中心軸回りに相対的に回転可能に設置され、前記押圧操作に連動して回転する回転子とを有する請求項１に記載の液体投与具。
【請求項３】
前記移動量規制部は、前記回転子に設けられた突起と、
前記操作部材に設けられ、前記突起と係合し得る係合部とを有する請求項２に記載の液体投与具。
【請求項４】
前記操作部材は、筒状をなし、前記構造体および前記回転子の外周側に設定され、使用時に把持される把持部を有し、
前記係合部は、前記把持部の内周面に設けられている請求項３に記載の液体投与具。
【請求項５】
前記移動量規制部は、前記操作部材に設けられ、前記押圧操作の際、前記突起に当接し、前記回転子を回転させる当接面を有する請求項３または４に記載の液体投与具。
【請求項６】
前記当接面は、前記押し子に設けられている請求項５に記載の液体投与具。
【請求項７】
前記操作部材は、前記押圧操作が完了した後、前記カバー部材の移動量が前記ロック可能移動量に達すると、前記突起と当接する当接部を有し、
前記突起が前記当接部に当接することにより、前記操作部材に対する前記カバー部材の先端方向の位置が規制される請求項３ないし６のいずれか１項に記載の液体投与具。
【請求項８】
前記液体が薬液である請求項１ないし７のいずれか１項に記載の液体投与具。
【発明の詳細な説明】
【技術分野】
【０００１】
本発明は、液体投与具に関するものである。
【背景技術】
【０００２】
従来から、薬液を投与する際に用いられる注射装置が知られている（例えば、特許文献１参照）。この特許文献１に記載の注射装置は、無菌的に薬液が充填された円筒形をなす本体部と、本体部の先端部に固定された針管と、本体部内で摺動し得るガスケット（ストッパ）と、ガスケットの基端側に係合し、当該ガスケットを先端方向に向かって押圧して薬液を針管から吐出させるプランジャと、針管を覆い得るカバー部材（シールド）とを備えている。このような構成の注射装置を用いて薬液を投与する際には、カバー部材が後退して、針管が露出した状態で、当該針管を生体に穿刺し、このまま、プランジャを押圧操作する。これにより、ガスケットで薬液が口部から吐出することとなり、よって、薬液を針管を介して生体に投与することができる。そして、薬液投与後には、針管を生体から抜去して、カバー部材を前進させることにより、当該カバー部材で針管が覆われ、安全に廃棄することができる。なお、特許文献１に記載の注射装置では、カバー部材は、前進して針管を覆うと、再度後退するのが阻止されるよう構成されている。これにより、投与後に針管をカバー部材で覆った状態を確実に維持することができる。【０００３】
ところで、薬液を生体に投与しているときに、例えば、薬液による痛みを減弱する等の目的で、針管を生体から抜去して、投与を一時的に中断したい場合がある。この場合、カバー部材を一旦前進させて、針管を覆ってしまうと、前述したように、カバー部材は、再度後退するのが阻止された状態となるため、針先を露出することができない。その結果、投与を再開することができず、所定量の薬液の投与が不可能となるという問題があった。
【先行技術文献】
【特許文献】
【０００４】
【特許文献１】特許第４１７６６３１号公報
【発明の概要】
【発明が解決しようとする課題】
【０００５】
本発明の目的は、液体の投与を行なう際に、針管を生体から一旦抜去して、液体の投与を中断した場合でも、その投与を再開することができる液体投与具を提供することにある。
【課題を解決するための手段】
【０００６】
このような目的は、下記（１）〜（８）の本発明により達成される。【０００７】
（１）  先端部に底部、基端部に開口部を有し、内部に液体を充填可能な筒体と、該筒体の先端部に位置し、先端に鋭利な針先を有し、基端が前記筒体の内部と連通可能な針管とを備える構造体と、
押し子を有し、該押し子を先端方向に移動して、前記液体を前記針管から吐出させる押圧操作を行なう操作部材と、
前記針管の少なくとも前記針先を覆う位置（Ａ）と、該位置（Ａ）から基端方向に退避して、前記針先が露出する位置（Ｂ）との間を移動可能なカバー部材と、
前記カバー部材を先端方向に付勢する付勢部材と、
前記付勢部材の付勢力により前記カバー部材が前記位置（Ｂ）から前記位置（Ａ）に移動し、前記カバー部材の移動量がロック可能移動量に達すると、前記カバー部材の前記位置（Ｂ）への移動を規制するロック部と、
前記カバー部材が前記位置（Ｂ）に位置し、前記押圧操作が完了するまで、前記付勢部材の付勢力により前記カバー部材が先端方向に移動する際の移動量が前記ロック可能移動量に達しないように前記カバー部材の移動量を規制する移動量規制部とを備えることを特徴とする液体投与具。【０００８】
（２）  前記カバー部材は、筒状をなすカバー本体と、
前記カバー本体に対し、その中心軸回りに相対的に回転可能に設置され、前記押圧操作に連動して回転する回転子とを有する上記（１）に記載の液体投与具。【０００９】
（３）  前記移動量規制部は、前記回転子に設けられた突起と、
前記操作部材に設けられ、前記突起と係合し得る係合部とを有する上記（２）に記載の液体投与具。【００１０】
（４）  前記操作部材は、筒状をなし、前記構造体および前記回転子の外周側に設定され、使用時に把持される把持部を有し、
前記係合部は、前記把持部の内周面に設けられている上記（３）に記載の液体投与具。【００１１】
（５）  前記移動量規制部は、前記操作部材に設けられ、前記押圧操作の際、前記突起に当接し、前記回転子を回転させる当接面を有する上記（３）または（４）に記載の液体投与具。【００１２】
（６）  前記当接面は、前記押し子に設けられている上記（５）に記載の液体投与具。【００１３】
（７）  前記操作部材は、前記押圧操作が完了した後、前記カバー部材の移動量が前記ロック可能移動量に達すると、前記突起と当接する当接部を有し、
前記突起が前記当接部に当接することにより、前記操作部材に対する前記カバー部材の先端方向の位置が規制される上記（３）ないし（６）のいずれか１項に記載の液体投与具。【００１４】
（８）  前記液体が薬液である上記（１）ないし（７）のいずれか１項に記載の液体投与具。【００１５】
本発明の液体投与具では、前記移動量規制部は、前記カバー部材の先端方向への移動を阻止するものであり、該移動量規制部が前記カバー部材の先端方向への移動を阻止した状態で、前記カバー部材により前記針管の少なくとも前記針先が覆われることが好ましい。【００１６】
本発明の液体投与具では、前記移動量規制部は、前記カバー部材の先端方向への移動を阻止するものであり、該移動量規制部が前記カバー部材の先端方向への移動を阻止した状態で、前記カバー部材から前記針管の前記針先が露出することが好ましい。【００１７】
本発明の液体投与具では、前記カバー部材は、筒状をなすカバー本体と、
前記カバー本体に対し、その中心軸回りに相対的に回転可能で、かつ、前記中心軸の方向に相対的に移動可能に設置された回転子とを有し、
前記液体を生体に投与する際は、前記カバー本体を前記生体の表面に押し付け、
前記押圧操作が完了する前に、前記生体の表面への前記カバー本体の押し付けを解除すると、前記移動量規制部により前記カバー本体の前記移動量が規制されつつ、前記付勢部材の付勢力により前記カバー本体が前記回転子に対して先端方向に移動し、前記カバー本体により前記針管の少なくとも前記針先が覆われることが好ましい。【００１８】
本発明の液体投与具では、前記回転子は、前記押圧操作が完了する直前に、前記押圧操作に連動し、前記カバー本体および前記操作部材に対して回転することが好ましい。【００１９】
本発明の液体投与具では、前記移動量規制部は、前記回転子に設けられた第１の突起と、
前記操作部材に設けられ、前記第１の突起と係合し得る係合部とを有することが好ましい。【００２０】
本発明の液体投与具では、前記操作部材は、筒状をなし、前記構造体および前記回転子の外周側に設定され、使用時に把持される把持部を有し、
前記係合部は、前記把持部の内周面に設けられていることが好ましい。【００２１】
本発明の液体投与具では、前記移動量規制部は、前記回転子に設けられた第２の突起と、
前記押圧操作の際、前記第２の突起に当接し、前記回転子を回転させる当接面とを有することが好ましい。【００２２】
本発明の液体投与具では、前記操作部材は、筒状をなし、前記構造体および前記回転子の外周側に設定され、使用時に把持される把持部を有し、
前記当接面は、前記把持部の内周面に設けられていることが好ましい。【００２３】
本発明の液体投与具では、前記操作部材は、前記押圧操作が完了した後、前記カバー部材の移動量が前記ロック可能移動量に達すると、前記第１の突起と当接する当接部を有し、
前記第１の突起が前記当接部に当接することにより、前記操作部材に対する前記カバー部材の先端方向の位置が規制されることが好ましい。【００２４】
本発明の液体投与具では、１対の前記係合部と、
１対の前記第１の突起とを有し、
前記各係合部は、それぞれ、前記操作部材の基端からの軸方向の距離が前記回転子の回転方向に向かって段階的に漸減する部位を有し、
一方の前記係合部の前記段階的に漸減する部位の前記操作部材の基端からの軸方向の距離と、他方の前記係合部の前記段階的に漸減する部位の前記操作部材の基端からの軸方向の距離とが互いに異なることが好ましい。【００２５】
本発明の液体投与具では、前記係合部の段階的に漸減する部位と、前記第１の突起との少なくとも一方は、前記回転子の回転方向に対して傾斜する傾斜面を有することが好ましい。【００２６】
本発明の液体投与具では、前記係合部は、前記操作部材の基端からの軸方向の距離が前記回転子の回転方向に向かって段階的に漸減する部位を有することが好ましい。【００２７】
本発明の液体投与具では、前記係合部の段階的に漸減する部位は、前記回転子の回転方向に対して傾斜する傾斜面を有することが好ましい。【００２８】
本発明の液体投与具では、前記筒体は、前記液体を充填可能な内筒と、
前記内筒の外周側に、前記内筒と同心的に配置され、前記内筒に対し、その中心軸回りに相対的に回転可能に設置された外筒とを有することが好ましい。
【発明の効果】
【００２９】
液体の投与を行なう際に、例えば液体による痛みや針管による穿刺痛が生じて、針管を生体から一旦抜去し、液体の投与を中断することがある。この場合、付勢部材の付勢力によりカバー部材が先端方向に移動して位置（Ａ）に戻り、そのカバー部材の移動量がロック可能移動量に達すると、ロック部によりカバー部材の位置（Ｂ）への移動が規制されてしまうが、移動量規制部がカバー部材の移動量を規制することにより、このような状態となるのを確実に阻止することができる。そして、痛みが消失した後に、針管を生体に再度穿刺して、押圧操作を再開することができる。【００３０】
このように、本発明によれば、液体の投与を行なう際に、液体の投与を中断した場合でも、液体の投与が完了するまでは、その投与を確実に再開することができる。これにより、所望の液体の投与を確実に行なうことができる。【００３１】
また、液体の投与が完了した後は、ロック部により、カバー部材６の位置（Ｂ）への移動が規制され、これにより、カバー部材で針管の針先が覆われた状態が維持され、これによって、使用後の針管の針先による誤穿刺を確実に防止することができる。
【図面の簡単な説明】
【００３２】
【図１】図１は、本発明の液体投与具の第１実施形態を示す縦断面図である。
【図２】図２は、図１に示す液体投与具の側面図である。
【図３】図３は、図１に示す液体投与具の側面図である。
【図４】図４は、図１に示す液体投与具の操作部材の押し子の側面図である。
【図５】図５は、図１に示す液体投与具の操作部材の押し子の平面図である。
【図６】図６は、図１に示す液体投与具の操作部材の把持部の斜視図である。
【図７】図７は、図１に示す液体投与具の操作部材の把持部の平面図である。
【図８】図８は、図１に示す液体投与具の把持部の頭部の斜視図である。
【図９】図９は、図１に示す液体投与具の把持部の頭部の斜視図である。
【図１０】図１０は、図１に示す液体投与具の外筒の基端側部材の斜視図である。
【図１１】図１１は、図１に示す液体投与具の外筒の基端側部材の平面図である。
【図１２】図１２は、図１に示す液体投与具の外筒の先端側部材の斜視図である。
【図１３】図１３は、図１に示す液体投与具の外筒の先端側部材の斜視図である。
【図１４】図１４は、図１に示す液体投与具の外筒の先端側部材の平面図である。
【図１５】図１５は、図１に示す液体投与具のカバー部材のカバー本体の斜視図である。
【図１６】図１６は、図１に示す液体投与具のカバー部材のカバー本体の平面図である。
【図１７】図１７は、図１に示す液体投与具のカバー部材の回転子の斜視図である。
【図１８】図１８は、図１に示す液体投与具の穿刺針の斜視図である。
【図１９】図１９は、図１に示す液体投与具の使用時の作動状態を順に示す縦断面図である。
【図２０】図２０は、図１に示す液体投与具の使用時の作動状態を順に示す側面図である。
【図２１】図２１は、図１に示す液体投与具の使用時の作動状態を順に示す側面図である。
【図２２】図２２は、図１に示す液体投与具の使用時の作動状態を順に示す縦断面図である。
【図２３】図２３は、図１に示す液体投与具の使用時の作動状態を順に示す側面図である。
【図２４】図２４は、図１に示す液体投与具の使用時の作動状態を順に示す側面図である。
【図２５】図２５は、図１に示す液体投与具の使用時の作動状態を順に示す縦断面図である。
【図２６】図２６は、図１に示す液体投与具の使用時の作動状態を順に示す側面図である。
【図２７】図２７は、図１に示す液体投与具の使用時の作動状態を順に示す側面図である。
【図２８】図２８は、図１に示す液体投与具の使用時の作動状態を順に示す側面図である。
【図２９】図２９は、図１に示す液体投与具の使用時の作動状態を順に示す側面図である。
【図３０】図３０は、本発明の液体投与具の第２実施形態における主要部を模式的に示す図である。
【図３１】図３１は、本発明の液体投与具の第３実施形態における主要部を模式的に示す図である。
【図３２】図３２は、本発明の液体投与具の第４実施形態における主要部を模式的に示す図である。
【図３３】図３３は、本発明の液体投与具の第５実施形態における主要部を模式的に示す図である。
【図３４】図３４は、本発明の液体投与具の第６実施形態を示す縦断面図である。
【図３５】図３５は、図３４に示す液体投与具のカバー部材の回転子の斜視図である。
【図３６】図３６は、図３４に示す液体投与具の操作部の把持部の斜視図である。
【図３７】図３７は、図３４に示す液体投与具のカバー部材および操作部の把持部の斜視図である。
【図３８】図３８は、本発明の液体投与具の第７実施形態を示す縦断面図である。
【図３９】図３９は、図３８に示す液体投与具の側面図である。
【図４０】図４０は、図３８に示す液体投与具の操作部材の押し子の斜視図である。
【図４１】図４１は、図３８に示す液体投与具の操作部材の把持部の断面斜視図である。
【図４２】図４２は、図３８に示す液体投与具のカバー部材の斜視図である。
【図４３】図４３は、図３８に示す液体投与具の使用時の作動状態を順に示す縦断面図である。
【図４４】図４４は、図３８に示す液体投与具の使用時の作動状態を順に示す側面図である。
【図４５】図４５は、図３８に示す液体投与具の使用時の作動状態を順に示す縦断面図である。
【図４６】図４６は、図３８に示す液体投与具の使用時の作動状態を順に示す側面図である。
【図４７】図４７は、図３８に示す液体投与具の使用時の作動状態を順に示す縦断面図である。
【図４８】図４８は、図３８に示す液体投与具の使用時の作動状態を順に示す側面図である。
【図４９】図４９は、図３８に示す液体投与具の使用時の作動状態を順に示す縦断面図である。
【図５０】図５０は、図３８に示す液体投与具の使用時の作動状態を順に示す側面図である。
【発明を実施するための形態】
【００３３】
以下、本発明の液体投与具を添付図面に示す好適な実施形態に基づいて詳細に説明する。
【００３４】
＜第１実施形態＞
図１は、本発明の液体投与具の第１実施形態を示す縦断面図である。図２は、図１に示す液体投与具の側面図である。図３は、図１に示す液体投与具の側面図である。図４は、図１に示す液体投与具の操作部材の押し子の側面図である。図５は、図１に示す液体投与具の操作部材の押し子の平面図である。図６は、図１に示す液体投与具の操作部材の把持部の斜視図である。図７は、図１に示す液体投与具の操作部材の把持部の平面図である。図８および図９は、それぞれ、図１に示す液体投与具の把持部の頭部の斜視図である。図１０は、図１に示す液体投与具の外筒の基端側部材の斜視図である。図１１は、図１に示す液体投与具の外筒の基端側部材の平面図である。図１２および図１３は、それぞれ、図１に示す液体投与具の外筒の先端側部材の斜視図である。図１４は、図１に示す液体投与具の外筒の先端側部材の平面図である。図１５は、図１に示す液体投与具のカバー部材のカバー本体の斜視図である。図１６は、図１に示す液体投与具のカバー部材のカバー本体の平面図である。図１７は、図１に示す液体投与具のカバー部材の回転子の斜視図である。図１８は、図１に示す液体投与具の穿刺針の斜視図である。図１９、図２２および図２５は、それぞれ、図１に示す液体投与具の使用時の作動状態を順に示す縦断面図である。図２０、図２１、図２３、図２４、図２６〜図２９は、それぞれ、図１に示す液体投与具の使用時の作動状態を順に示す側面図である。
【００３５】
なお、以下では、図１〜図２９中の上側を「基端（後端）」または「上（上方）」、下側を「先端」または「下（下方）」、上下方向を「軸方向」または「長手方向」として説明を行う（第２実施形態以降の各実施形態の各図についても同様）。
【００３６】
図１〜図３に示す液体投与具１０は、液体を生体に投与する（注入する）際に用いられる医療器具である。なお、液体としては、その使用目的に応じて適宜選択されるが、例えば、造血剤、ワクチン、ホルモン製剤、抗リウマチ剤、抗ガン剤、麻酔剤、血液凝固防止剤、ゲル状製剤等、主に皮下注射される薬液が挙げられる。
【００３７】
液体投与具１０は、内側構造体（構造体）１と、ガスケット８と、操作部材５と、内側構造体１の外周側に配置されたカバー部材６と、カバー部材６を先端方向に向って付勢する付勢部材であるコイルバネ１３と、補助部４０と、ロック部５０と、移動量規制部８０とを備えている。
【００３８】
図１に示すように、内側構造体１は、内筒３と外筒４とで構成された筒体２と、両頭針（針管）７１と支持部材７２とで構成された穿刺針７と、内筒３（筒体２）内に設置され、内筒３の軸方向に沿って摺動し得るガスケット８とを備えている。支持部材７２を必要とせず、針付シリンジでもよい。
【００３９】
図１に示すように、内筒３は、内筒本体３１を有している。内筒本体３１は、先端部に底部３２、底部３２の縁部から立設した側壁３３、基端部に開口部を有する部材、すなわち、有底筒状をなす部材で構成されている。そして、内筒３の内部には、液体が充填可能である。また、内筒本体３１の先端部、すなわち、底部３２の中央部には、内筒本体３１の側壁３３の部位に対し縮径し、液体が通過する口部３４が一体的に突出形成されている。この口部３４からは、液体が吸入または排出される。
【００４０】
また、内筒３は、内筒本体３１の口部３４を液密に封止する封止部材（封止部）１１と、封止部材１１をその先端側から固定する固定部材１２とを有している。
【００４１】
封止部材１１は、弾性体で構成され、その基端面に凸部が形成されており、この凸部を口部３４に液密に嵌合することにより、口部３４を液密に封止している。
【００４２】
固定部材１２は、筒状をなす部材である。この固定部材１２は、封止部材１１および口部３４の外周側から嵌合し、封止部材１１を内筒本体３１に固定している。これにより、封止部材１１の内筒本体３１からの離脱が確実に防止される。なお、固定部材１２の固定方法としては、その他、接着による方法や溶着による方法であってもよい。
【００４３】
また、内筒本体３１、固定部材１２、外筒４、カバー部材６、支持部材７２、操作部材５の構成材料としては、特に限定されず、例えば、ポリ塩化ビニル、ポリエチレン、ポリプロピレン、環状ポリオレフィン、ポリスチレン、ポリ−（４−メチルペンテン−１）、ポリカーボネート、アクリル樹脂、アクリルニトリル−ブタジエン−スチレン共重合体、ポリエチレンテレフタレート、ポリエチレンナフタレート等のポリエステル、ブタジエン−スチレン共重合体、ポリアミド（例えば、ナイロン６、ナイロン６・６、ナイロン６・１０、ナイロン１２）のような各種樹脂が挙げられるが、その中でも、成形が容易であるという点で、ポリプロピレン、環状ポリオレフィン、ポリエステル、ポリ−（４−メチルペンテン−１）のような樹脂が好ましい。
【００４４】
また、封止部材１１、ガスケット８を構成する弾性材料としては、特に限定されず、例えば、天然ゴム、ブチルゴム、イソプレンゴム、ブタジエンゴム、スチレン−ブタジエンゴム、シリコーンゴムのような各種ゴム材料や、ポリウレタン系、ポリエステル系、ポリアミド系、オレフィン系、スチレン系等の各種熱可塑性エラストマー、あるいはそれらの混合物等の弾性材料が挙げられる。
【００４５】
内筒３の外周側に、外筒４が内筒３と同心的に配置されている。図１、図１０〜図１４に示すように、外筒４は、その全体形状は両端がそれぞれ開口した筒状をなしており、その長さが内筒３よりも長いものである。また、外筒４は、内筒３に対し、その軸を中心にして回動可能になっている。
【００４６】
外筒４は、基端側に配置された図１０、図１１に示す基端側部材４ａと、先端側に配置された図１２〜図１４に示す先端側部材４ｂとで構成されている。先端側部材４ｂの基端側には、互いに対向するように配置された１対の孔部４１ｂが形成されている。また、基端側部材４ａの先端側には、弾性を有し、互いに対向するように配置された１対の腕部４１ａが先端方向に突出形成されており、各腕部４１ａの先端部には、それぞれ、外側に向かって突出する爪４２ａが形成されている。各爪４２ａは、先端側部材４ｂの基端側の内側より各孔部４１ｂに挿入され、各爪４２ａと各孔部４１ｂとが係合し、基端側部材４ａと先端側部材４ｂとが連結されている。
【００４７】
なお、基端側部材４ａと先端側部材４ｂとを連結する方法は、これに限定されず、例えば、接着剤や溶剤等による接着熱融着、高周波融着、超音波融着等の融着等が挙げられる。
【００４８】
また、外筒４は、胴部４１と、胴部４１の先端側に形成され、その胴部４１に対して縮径した縮径部４２ｂと、胴部４１の基端部に形成され、その胴部４１に対して縮径した縮径部４５ａとを有している。
【００４９】
縮径部４２ｂの内周部には、互いに対向するように配置された１対の溝群４２０ｂが形成されている（図１４参照）。なお、各溝群４２０ｂは同様であるので、以下、代表的に、一方の溝群４２０ｂを説明する。
【００５０】
溝群４２０ｂは、縮径部４２ｂの軸方向に延在し、直線状に形成された縦溝４２１ｂと、その縦溝４２１ｂに連通する横溝４２２ｂと、横溝４２２ｂの基端側に配置された横溝４２３ｂとを有している。横溝４２２ｂ、４２３ｂは、それぞれ、縮径部４２ｂの周方向に沿って形成されている。また、横溝４２２ｂの一方の端部は、縦溝４２１ｂの基端部に連通している。なお、本実施形態では縮径部４５ａが形成されているが、縮径部４５ａが形成されていなくてもよい。
【００５１】
また、先端側部材４ｂの胴部４１には、１対の溝４３ｂと、胴部４１を貫通する１対の長孔４４ｂとが形成されている。各溝４３ｂは、互いに対向するように配置され、同様に、各長孔４４ｂも互いに対向するように配置されている。なお、各溝４３ｂは同じ形状であるため、以下、代表的に、一方の溝４３ｂを説明する。同様に、各長孔４４ｂも同じ形状であるため、以下、代表的に、一方の長孔４４ｂを説明する。なお、本実施形態では溝４３ｂは、有底であるが、胴部４１を貫通してもよく、この場合も同じ効果が得られる（図示せず）。また、本実施形態では長孔４４ｂは、胴部４１を貫通しているが、貫通せず窪んでいてもよく、この場合も同じ効果が得られる（図示せず）。
【００５２】
また、溝４３ｂ、長孔４４ｂは、胴部４１の周方向に沿って並設されている。なお、本実施形態では、溝４３ｂが長孔４４ｂの左側に配置されている。
【００５３】
また、溝４３ｂ、長孔４４ｂは、それぞれ、胴部４１の軸に沿って延在している。そして、溝４３ｂは、先端側部材４ｂの先端から基端まで形成されており、先端側部材４ｂの先端および基端にそれぞれ開放している。また、長孔４４ｂの基端側の端面は、溝４３ｂの基端よりも先端側に位置し、その長孔４４ｂの基端側の端面は、胴部４１の軸に対して垂直に設定されている。
【００５４】
また、胴部４１における溝４３ｂおよび長孔４４ｂの基端側の部位には、空間４５ｂが形成されている。
【００５５】
また、胴部４１の長孔４４ｂと空間４５ｂとの間の部位の肉厚は、先端側から基端側に向って漸減しており、これにより、その胴部４１の外周面にテーパ面が形成されている。これにより、カバー部材６の突起６１３が空間４５ｂから長孔４４ｂに円滑に移動することができる。
【００５６】
また、基端側部材４ａの縮径部４５ａの基端側には、互いに対向するように配置された１対の突出部４０ａが形成されている。各突出部４０ａは、それぞれ、縮径部４５ａの内周面から内側に向って、すなわち、中心軸に向って突出形成されている。
【００５７】
また、各突出部４０ａの中心軸側の端部（先端部）には、それぞれ、突起（第２の係合部）４９ａが基端方向に向って突出形成されている。
【００５８】
各突起４９ａは、回転部として、後述する各段差部５１６が当接する傾斜面４９１ａを有している。回転部は、係合状態にある段差部５１６と突起４９ａとを相対的に内側構造体１の中心軸回りに回転させて、解除状態とするものである。傾斜面４９１ａは、図示の構成では平面である。この傾斜面４９１ａは、平面視で、内側構造体１の中心軸を中心とし、傾斜面４９１ａを通る円の接線方向を向いている。これにより、段差部５１６が傾斜面４９１ａに沿って、突起４９ａに対して相対的に移動することにより、外筒４が操作部材５に対して外筒４の中心軸回りに相対的に回転する。
【００５９】
また、傾斜面４９１ａの傾斜角度θは、特に限定されず、諸条件に応じて適宜設定されるものであるが、５〜８５°であることが好ましく、２０〜７０°であることがより好ましい。
【００６０】
なお、傾斜面４９１ａの形状は、平面に限らず、湾曲面であってもよい。また、傾斜面４９１ａ、突出部４０ａの数は、それぞれ、２つに限らず、例えば、１つでもよく、また、３つ以上でもよい。また、傾斜面４９１ａに代えて平坦面にしてもよい。
【００６１】
また、基端側部材４ａの縮径部４５ａの基端側には、弾性を有し、互いに対向するように配置された１対の腕部４６ａが基端方向に突出形成されており、各腕部４６ａの先端部には、それぞれ、内側に向かって突出する爪４７ａが形成されている。
【００６２】
また、基端側部材４ａの先端側には、互いに対向するように配置された１対の突出片４３ａが先端方向に突出形成されている。各突出片４３ａは、使用後の状態（投与完了の状態）では、液体の投与が完了したことを示す指標として機能する。
【００６３】
また、内筒３は、外筒４の各突出部４０ａと、縮径部４２ｂとの間に設置され、基端側部材４ａと先端側部材４ｂとで上下から挟み込まれることにより、外筒４に対する内筒３の軸方向の移動が阻止される。
【００６４】
また、外筒４の胴部４１の外周面には、カバー部材６の後述する１対の突起６３が挿入される１対のカム溝４２が形成されている。本実施形態では、各カム溝４２は、それぞれ、胴部４１の壁部を貫通するように形成されているが、これに限らず、胴部４１の壁部を貫通していなくてもよい。なお、各カム溝４２は同様であるので、以下、代表的に、一方のカム溝４２を説明する。
【００６５】
カム溝４２は、胴部４１の外周面に、外筒４の軸方向に延在し、直線状に形成された直線溝（第２の溝）４２１と、外筒４の軸線に対して所定角度傾斜するように形成された傾斜溝（第１の溝）４２２と、外筒４の軸方向に延在し、直線状に形成された直線溝（第３の溝）４２３とで構成されている。直線溝４２３の先端部は、直線溝４２１の先端部よりも基端側に位置し、直線溝４２３の基端部は、直線溝４２１の基端部よりも基端側に位置している。また、傾斜溝４２２は、１周よりも短く形成されている。
【００６６】
これら直線溝４２１と、傾斜溝４２２と、直線溝４２３とは、図２、図１３中左側から右側に向って連続的に形成されている。そして、直線溝４２１の基端部と、傾斜溝４２２の先端部（図２、図１３中の左側の端部）とが連通し、傾斜溝４２２の基端部（図２、図１３中の右側の端部）と、直線溝４２３の基端部とが連通している。
【００６７】
このカム溝４２およびカバー部材６の突起６３により、カバー部材６が外筒４の軸方向に移動すると、外筒４がカバー部材６および内筒３に対して図１中右側に所定角度回転する。すなわち、突起６３が傾斜溝４２２に沿って、カバー部材６に対して相対的に移動することにより、外筒４は、カバー部材６に対して中心軸回りに相対的に回転し、これにより、外筒４は、操作部材５に対して外筒４の中心軸回りに相対的に回転する。したがって、突起６３および傾斜溝４２２により、回転部が構成される。
【００６８】
また、カバー部材６が後述する位置（Ａ）にあるときは、突起６３は、直線溝４２１に挿入され、これにより、外筒４は、カバー部材６に対して中心軸回りに相対的に回転することが阻止され、これにより、外筒４は、操作部材５に対して相対的に回転することが阻止されている。したがって、突起６３および直線溝４２１により、係合状態で、段差部（第１の係合部）５１６と突起（第２の係合部）４９ａとの内側構造体１の中心軸回りの相対的な回転を阻止する回転阻止部が構成される。
【００６９】
なお、溝は、カバー部材６に設けられ、突起は、外筒４に設けられていてもよい。
【００７０】
図１に示すように、筒体２の先端部には、穿刺針７が配置されている。穿刺針７は、両頭針７１と、両頭針７１を支持、固定する支持部材７２とで構成されている。
【００７１】
両頭針７１は、中空の針管であり、先端に鋭利な先端側針先を有し、基端にも鋭利な基端側針先を有する。この両頭針７１は、先端側針先で生体を穿刺することができ、基端側針先で内筒３の封止部材１１を刺通することができる。
【００７２】
両頭針７１の内腔部（中空部）は、基端側針先が内筒３の封止部材１１を刺通した状態で、内筒３と連通しており、内筒３からの液体が通過する流路として機能する。
【００７３】
両頭針７１の先端側針先で生体を皮膚から所定の深さまで穿刺した後、基端側針先が内筒３の封止部材１１を刺通し、体内にその両頭針７１の流路を介して液体が注入される。
【００７４】
なお、両頭針７１の構成材料としては、特に限定されず、例えば、ステンレス鋼、アルミニウムまたはアルミニウム合金、チタンまたはチタン合金のような金属材料が挙げられる。
【００７５】
このような構成の両頭針７１は、支持部材７２を介して外筒４（筒体２）の先端部、すなわち、縮径部４２ｂに、外筒４の軸方向に沿って移動可能に装着されている。支持部材７２は、両頭針７１を外筒４に対しその軸方向に沿って移動可能に支持するものである。この支持部材７２は、有底筒状をなしている。そして、両頭針７１は、その途中の部位において、支持部材７２の底部に支持、固定されている。
【００７６】
また、支持部材７２の基端部の外周面には、２つの突起７２１が、互いに対向するように形成されている（図１８参照）。また、支持部材７２の外周面の各突起７２１の先端側には、それぞれ、突起７２３が形成されている。
【００７７】
未使用状態（初期状態）では、各突起７２１は、外筒４の先端側部材４ｂの縮径部４２ｂの各縦溝４２１ｂに挿入されている。そして、各突起７２１が、各縦溝４２１ｂの先端部に係合することにより、穿刺針７が筒体２の先端部から離脱するのが防止される。
【００７８】
また、各突起７２１が、縦溝４２１ｂと係合することにより、穿刺針７が周方向に回動することが防止される。それによって、両頭針７１の基端側針先が封止部材１１を貫通する際に、コアリングを防止することができる。
【００７９】
また、支持部材７２の基端部の外周面には、２つのリブ７２４が、互いに対向するように形成されている（図１８参照）。各リブ７２４は、それぞれ、支持部材７２の周方向に沿って延在しており、また、各リブ７２４は、それぞれ、支持部材７２の周方向において２つの突起７２１の間に配置されている。各リブ７２４は、それぞれ、外筒４の先端側部材４ｂの縮径部４２ｂの内周面に当接し、これにより、穿刺針７が外筒４に対してガタツクことを防止することができる。
【００８０】
また、支持部材７２の先端面には、先端方向に向かって突出する４つの突起７２２が、その周方向に沿って、等角度間隔で並設されている（図１参照）。
【００８１】
前述したように、穿刺針７は、支持部材７２を介して外筒４に対しその軸方向に沿って移動可能に支持されている。これにより、穿刺針７は、両頭針７１の基端側針先が筒体２の封止部材１１から離間した図１に示す離間状態と、両頭針７１の基端側針先が封止部材１１を刺通した図１９および図２２に示す刺通状態とを取り得る。よって、刺通状態となるまで両頭針７１からの液体の不本意な漏出が防止される。
【００８２】
図１に示すように、カバー部材６は、外筒４（筒体２）の外周側に配置されている。
【００８３】
このカバー部材６は、穿刺針７と同様に、外筒４（筒体２）に対しその軸方向に沿って移動可能に支持されている。これにより、カバー部材６は、その先端面６２２が生体と接触した後、両頭針７１の先端側針先が皮膚から生体の所定の深さまで穿刺される。
【００８４】
このカバー部材６は、使用前から使用後までの間に、後述するように５つの段階（位置）をとる。この５つの位置は、使用前の状態でカバー部材６が両頭針７１の先端側針先より先端側に突出した第１の位置（位置（Ａ））（図１〜図３参照）と、第１の位置からカバー部材６が基端方向に退避し、外筒４がカバー部材６および内筒３に対して回転する前の第２の位置と、外筒４がカバー部材６および内筒３に対して所定角度回転した第３の位置（図２０参照）と、操作部材５の先端部がカバー部材６の先端部まで達して投与が完了した第４の位置（図２３）と、第４の位置（第３の位置）からカバー部材６が先端方向に移動し、そのカバー部材６が両頭針７１の先端側針先より先端側に突出し、投与完了後のセーフティ部が作動した第５の位置（位置（Ａ））（図２６参照）である。
【００８５】
なお、本実施形態では、カバー部材６が第１の位置にある際に、カバー部材６の先端面６２２が両頭針７１の先端側針先より先端側に突出し、カバー部材６により、両頭針７１の先端側針先が覆われている。これにより、カバー部材６が、第１の位置から基端側に移動するまで、両頭針７１の先端側針先が露出しないため、使用者が穿刺前に両頭針７１の先端側針先で誤刺することや、その先端側針先を傷めてしまうことを防止することができる。また、カバー部材６が第２から第４の位置（位置（Ｂ））にある際は、カバー部材６の先端から両頭針７１の先端側針先が露出する。
【００８６】
なお、前述した穿刺針７は、カバー部材６が第１の位置にあるときには、カバー部材６の先端部より基端側に位置する離間状態にある。一方、カバー部材６が第２の位置に移動する時には、当該カバー部材６が両頭針７１を（両頭針７１を支持部材７２ごと）基端方向に向かって押圧移動させ、両頭針７１の基端側針先は筒体２の封止部材１１を刺通し、また、両頭針７１の先端側針先は生体に穿刺されている。しかし、カバー部材６が第２の位置にあるときには、両頭針７１の基端側針先の封止部材１１の刺通は完了しておらず、支持部材７２の内側上端面と、外筒４の先端側部材４ｂの縮径部４２ｂの先端面とが少し離間した状態である。そして、外筒４がカバー部材６および内筒３に対して回転した第３の位置で、両頭針７１の基端側針先の封止部材１１の刺通は完了し、支持部材７２の内側上端面と、外筒４の先端側部材４ｂの縮径部４２ｂの先端面とが、接触した状態となる。
【００８７】
カバー部材６は、形状が有底筒状（筒状）をなしている。このカバー部材６は、図１５および図１６に示すカバー本体６０と、カバー本体６０に対し、カバー本体６０の中心軸回りに相対的に回転可能に設置され、押圧操作に連動して回転する図１７に示す回転子６５とを有している。
【００８８】
図１５および図１６に示すように、カバー本体６０は、先端部に配置された板状の先端壁部６２と、当該先端壁部６２から基端方向に立設した側壁６１とで構成されている、すなわち、有底筒状（筒状）をなす部材で構成されている。また、カバー本体６０は、先端に先端面６２２を有している。
【００８９】
先端壁部６２の中心部には、当該中心部を貫通する開口部６２１が形成されている。カバー部材６が第２から第４の位置にあるときは、両頭針７１の先端側針先が開口部６２１から突出する（露出する）（図１９〜図２４参照）。
【００９０】
また、先端壁部６２の開口部６２１の外周側には、その先端壁部６２を貫通する４つの孔部６２３が、先端壁部６２の周方向に沿って、等角度間隔で形成されている（図１６参照）。各孔部６２３は、カバー部材６の平面視で、穿刺針７の支持部材７２の各突起７２２に対応する位置に配置されており、各突起７２２が挿入し得るようになっている。両頭針７１の先端側針先が生体に穿刺された状態では、各突起７２２は、各孔部６２３に挿入され、これにより、液体を投与しているとき、穿刺針７が周方向に回動することを防止することができる。
【００９１】
図１５に示すように、側壁６１は、形状が円筒状をなしている。側壁６１の基端部の外周面には、外側に向かって突出し、互いに対向するように配置された１対のリブ６１４が形成されている。各リブ６１４は、それぞれ、カバー部材６の軸方向に延在している。また、側壁６１の基端部の外周面には、外側に向かって突出し、互いに対向するように配置された１対のリブ６１６が形成されている。各リブ６１６は、それぞれ、カバー部材６の軸方向に延在している。
【００９２】
また、側壁６１の途中には、弾性を有し、互いに対向するように配置された１対の腕部６１２が基端方向に突出形成されており、各腕部６１２の基端部には、それぞれ、内側に向かって突出する突起６１３が形成されている。各突起６１３は、側壁６１の基端よりも先端側に配置されている。
【００９３】
また、側壁６１の基端部の内周面には、内側に向かって突出し、互いに対向するように配置された１対の突起６３が形成されている（図１６参照）。各突起６３は、それぞれ、外筒４の各カム溝４２に挿入される、すなわち、各カム溝４２と係合する。一連の動作における突起６３と、外筒４の各カム溝４２との関係は後述する。
【００９４】
未使用状態（初期状態）では、カバー部材６の各突起６１３は、それぞれ、外筒４の各溝４３ｂに挿入されている。そして、カバー部材６が外筒４の軸方向に移動し、外筒４のカム溝４２およびカバー部材６の突起６３により、外筒４がカバー部材６に対して所定角度回転すると、カバー部材６の各突起６１３は、それぞれ、外筒４の各空間４５ｂにおける各長孔４４ｂの基端側の位置に移動する。
【００９５】
また、側壁６１の基端部、すなわち、各突起６１３の基端側には、互いに対向するように配置された１対の長孔６１５が形成されている。各長孔６１５は、それぞれ、周方向に延在している。
【００９６】
回転子６５は、形状が円環状（筒状）をなし、カバー本体６０の基端部に設置されている。
【００９７】
回転子６５の先端側には、弾性を有し、互いに対向するように配置された１対の腕部６６が先端方向に突出形成されており、各腕部６６の先端部には、それぞれ、内側に向かって突出する爪６６１が形成されている。各爪６６１は、カバー本体６０の基端側の外側より各長孔６１５に挿入され、各爪６６１と各長孔６１５とが係合し、回転子６５とカバー本体６０とが連結されている。各爪６６１は、各長孔６１５に沿ってカバー本体６０の周方向に移動でき、これにより、回転子６５は、カバー本体６０に対し、カバー本体６０の中心軸回りに相対的に回転することができる。回転子６５とカバー部材６とが一体化していないので、回転子６５が回転したとき、カバー部材６の先端の接触面が回転するのを防止することができる。また、各爪６６１と各長孔６１５とが係合することにより、回転子６５は、カバー本体６０に対してその中心軸方向に移動不能になっている。
【００９８】
また、回転子６５の外周面には、外側に向かって突出し、互いに対向するように配置された１対の突起６７が形成されている。
【００９９】
図１に示すように、カバー部材６の内側には、コイルバネ（圧縮コイルバネ）１３が圧縮状態で収納されている。このコイルバネ１３は、その先端部がカバー部材６の内部の先端壁部６２に当接し、前記コイルバネ１３の基端部が外筒４の胴部４１の先端部に当接している。そして、未使用状態での圧縮状態は、コイルバネ１３は外筒４の先端にかかる重量により、圧縮されている程度である。なお、コイルバネ１３は、コイルバネ１３の先端部がカバー部材６の内部の先端壁部６２に当接し、コイルバネ１３の基端部が外筒４の胴部４１の先端部に当接していれば、圧縮されてなくてもよい。このコイルバネ１３により、例えばカバー部材６を第２の位置から第１の位置へ向かう方向に付勢（先端方向に向って付勢）することができる。このようなコイルバネ１３の付勢力により、液体投与具１０を使用するまで、カバー部材６の先端面６２２を両頭針７１の先端側針先より先端側に突出させておくことができ、よって、その先端側針先による誤穿刺を確実に防止することができる。
【０１００】
なお、コイルバネ１３の構成材料としては、特に限定されず、例えば、ステンレス鋼、銅等のような金属材料を用いることができる。
【０１０１】
ガスケット８は、内筒３（筒体２）内に、内筒３の軸方向に沿って摺動可能に収納されている。なお、このガスケット８と内筒３とで囲まれた空間には、液体が予め充填されている。そして、ガスケット８が先端方向に向かって移動することにより、内筒３内の液体を、当該内筒３に連通した状態の両頭針７１から押し出すことができる。
【０１０２】
このガスケット８は、外形形状が円柱状をなし、その外周部に３つの突部８１が形成されている。隣り合う突部８１と突部８１とは、ガスケット８の軸方向に沿って離間している。また、各突部８１は、それぞれ、ガスケット８の周方向に沿ったリング状をなし、その外径は、外力を付与しない自然状態で、内筒３の内径よりも若干大きい。これにより、各突部８１は、それぞれ、内筒３の側壁３３の内周部に対し密着しつつ摺動することができ、よって、液密性を確実に保持するとともに、摺動性の向上が図れる。
【０１０３】
図１〜図３に示すように、操作部材５は、頭部５３と、把持部（最外筒）５２と、ガスケット８の基端側に連結され、ガスケット８を先端方向に向かって押圧する押し子５１とを有している。頭部５３と押し子５１と把持部５２とは、連結されている。この操作部材５は、押し子５１を先端方向に移動し、これによりガスケット８を先端方向に向かって移動することで、内筒３内の液体を両頭針７１から吐出させる押圧操作（吐出操作）を行なう部材である。
【０１０４】
図１、図４、図５に示すように、押し子５１は、横断面が、例えば十文字状または円形状をなす棒状の本体部５１１を有しており、この本体部５１１の先端にガスケット８が固定されている。本体部５１１の基端には、円盤状のフランジ５１２が形成されている。
【０１０５】
本体部５１１にガスケット８を固定する方法は、特に限定されず、例えば、接着や融着による方法、ガスケット８に凹部を形成し、本体部５１１の先端部の形状をそのガスケット８の凹部に対応した形状とし、本体部５１１の先端部をガスケット８の凹部に嵌入する方法、本体部５１１の先端部に雄ネジを形成し、ガスケット８に、その雄ネジに螺合する雌ネジを形成し、その両者を螺合させる方法等が挙げられる。なお、本実施例では、操作部材５はガスケット８の基端側に連結されているが、連結されていなくてもよい。
【０１０６】
また、押し子５１のフランジ５１２には、その中心を介して互いに対向するように配置された１対の孔部５１５と、中心を介して互いに対向するように配置された１対の孔部５１７と、中心を介して互いに対向するように配置された１対の孔部５１８とが形成されている。
【０１０７】
また、フランジ５１２の基端側の中央部には、フランジ５１２の径方向に延在するリブ５１３が、各孔部５１８に跨るように形成されている。このリブ５１３の両端部、すなわち、各孔部５１８に対応する部位には、それぞれ、溝５１３１が形成されている。
【０１０８】
また、フランジ５１２の下面には、基端方向に突出し、互いに対向するように配置された１対の突出片５１４が形成されている。各突出片５１４は、押し子５１の平面視で（図４中上側から見て）、点対称に配置されている。各突出片５１４は、同様であるので、以下、代表的に一方の突出片５１４について説明する。なお、各突出片５１４は把持部（最外筒）５２に配置されていてもよい。
【０１０９】
突出片５１４は、フランジ５１２の周方向に沿ってその長さが変化しており、これにより、突出片５１４の先端に、フランジ５１２の周方向に沿って傾斜する傾斜面（当接面）５１４１が形成されている。また、突出片５１４の長さは、押し子５１の平面視で、時計回りの方向に向って漸減している。押圧操作の際は、この突出片５１４の傾斜面５１４１に回転子６５の突起６７が当接することにより、回転子６５は、押し子５１の平面視で、時計回りに回転する。これにより、押圧の抵抗を少なく、確実に薬液を注入できる。また、操作部材５の突出片５１４の傾斜面５１４１に段差を設けることで、回転子６５の突起６７との接触時に音が発生する。それによって、薬液を投与中であるということが使用者に識別させることができる。また、後述するように、押圧操作を停止し、操作部材５を基端方向に移動させると、突起６７は階段５２４の底部５２４２と当接し、これにより、ロック部５０によりカバー部材６がロックされるのが防止される。
【０１１０】
また、押し子５１の本体部５１１は、長手形状をなす板状の部位を有しており、１対の突起（第２の係合部）４９ａと係合し得る第１の係合部として、その板状の部位の幅が変化した１対の段差部５１６を有している。すなわち、押し子５１の本体部５１１の先端側には、互いに対向するように配置された１対の段差部（第１の係合部）５１６が形成されている。各段差部５１６および各突起４９ａにより、段差部５１６と突起４９ａとが係合するときに、押圧操作を阻止する係合状態を取り、その係合状態が解除されたときに、押圧操作を可能とする解除状態を取る係合部が構成される。
【０１１１】
なお、段差部（第１の係合部）５１６の数は、２つに限らず、例えば、１つでもよく、また、３つ以上でもよい。
【０１１２】
また、段差部（第１の係合部）が内側構造体１に設けられ、突起（第２の係合部）が操作部材５に設けられていてもよい。
【０１１３】
未使用状態（初期）では、押し子５１の各段差部５１６は、外筒４の各突起４９ａと係合、又は係合しうる位置にあり、これにより、筒体２に対する押し子５１の先端方向への移動が阻止されている。そして、カバー部材６が外筒４の軸方向に移動し、外筒４のカム溝４２およびカバー部材６の突起６３により、外筒４がカバー部材６に対して所定角度回転できる位置に移動すると、押し子５１の各段差部５１６は、外筒４の各突起４９ａからずれた位置に移動し、各段差部５１６と各突起４９ａとの係合が外れ、これにより、筒体２に対する押し子５１の先端方向への移動が可能になる。
【０１１４】
図１、図６、図７に示すように、把持部５２は、押し子５１の本体部５１１、内側構造体１およびカバー部材６の外周側に配置されており、その把持部５２の基端に、押し子５１のフランジ５１２が当接している。この把持部５２は、円筒状をなしており、使用時に把持される部位である。
【０１１５】
また、把持部５２の基端部には、互いに対向するように配置された１対の孔部５２１が形成されている。
【０１１６】
また、把持部５２の内周面には、互いに対向するように配置された１対の溝５２２が形成されている。各溝５２２は、把持部５２の軸方向に沿って延在している。そして、各溝５２２には、カバー部材６の各リブ６１４が挿入されている。これにより、把持部５２に対するカバー部材６の回転が防止される。
【０１１７】
また、把持部５２の内周面には、互いに対向するように配置された１対の溝５２３が形成されている。各溝５２３は、把持部５２の軸方向に沿って延在している。そして、各溝５２３には、カバー部材６の各リブ６１６が挿入されている。これにより、カバー部材６が把持部５２に対して先端方向に移動した場合、カバー部材６の各リブ６１６が把持部５２の各溝５２３の先端部に当接することにより、カバー部材６が把持部５２から離脱するのが防止される。
【０１１８】
また、把持部５２の内周面には、互いに対向するように配置され、回転子６５の１対の突起６７が係合し得る１対の階段（係合部）５２４が形成されている。各突起６７が各階段５２４の所定の段に当接することにより、カバー部材６の先端方向への移動が阻止される。各階段５２４は、把持部５２の平面視で（図６中上側から見て）、点対称に配置されている。なお、各階段５２４は、同様であるので、以下、代表的に一方の階段５２４、すなわち、図６中の見えている方の階段５２４について説明する。
【０１１９】
階段５２４は、把持部５２の平面視で、回転子６５の回転方向である図６中の時計回りの方向に進むと、先端側から基端側に上るような構成になっている。すなわち、階段５２４の高さは、把持部５２の平面視で、時計回りの方向に向って漸増している。換言すれば、階段５２４は、操作部材５の基端からの軸方向の距離が時計回りの方向に向って段階的に漸減する部位と言える。
【０１２０】
また、階段５２４の各段の高さは、その高さの増加量が一定であり、また、回転子６５の突起６７が階段５２４の各段に係合した状態で、それぞれ、カバー部材６の突起６１３が外筒４の長孔４４ｂよりも基端側に位置するように設定されている。なお、階段５２４の各段の高さの増加量は、一定でなくてもよいことは、言うまでもない。
【０１２１】
また、回転子６５の突起６７が階段５２４に係合した状態では、カバー部材６の先端から両頭針７１の先端側針先が露出してもよく（図２９参照）、また、露出しなくてもよい（図２８参照）。前記両頭針７１の先端側針先が露出しないようにするには、階段５２４の各段の高さを比較的低く、すなわち、押し子５１の突出片５１４の傾斜面５１４１と階段５２４の各段との距離を比較的大きく設定する。具体的には、図１９に示すように、液体の投与の際のカバー部材６の先端壁部６２からの両頭針７１の突出長、すなわち、カバー部材６の先端壁部６２先端面と両頭針７１の先端との間の距離をＬ３、図２１に示すように、把持部５２の階段５２４の底部５２４２と、押し子５１の突出片５１４の傾斜面５１４１との間の距離をＬ２としたとき、Ｌ２≧Ｌ３のとき、両頭針７１の先端側針先が露出しない。
【０１２２】
また、前記両頭針７１の先端側針先が露出するようにするには、階段５２４の各段の高さを比較的高く、すなわち、押し子５１の突出片５１４の傾斜面５１４１と階段５２４の各段との距離を比較的小さく設定する。具体的には、Ｌ２＜Ｌ３のとき、両頭針７１の先端側針先が露出する。
【０１２３】
なお、前記両頭針７１の先端側針先が露出しない場合は、カバー部材６で両頭針７１の先端側針先が覆われるので、これにより、両頭針７１の先端側針先による誤穿刺を確実に防止することができる。
【０１２４】
また、階段５２４の図６中左側には、溝５２５が形成され、右側には、溝５２６が形成されている。また、他方の階段の両側にも同様に、溝５２５、５２６が形成されている。すなわち、把持部５２の内周面には、互いに対向するように配置された１対の溝５２５と、互いに対向するように配置された１対の溝５２６とが形成されている。各溝５２５、各溝５２６は、把持部５２の軸方向に沿って延在している。なお、未使用状態（初期状態）では、回転子６５の各突起６７は、各溝５２５内に位置している。
【０１２５】
頭部５３は、把持部５２および押し子５１のフランジ５１２の基端側に設置されている。図１、図８、図９に示すように、この頭部５３は、すり鉢状をなしている。そして、頭部５３の基端面、すなわち外面は、その中央部が平坦であり、その周囲は、基端側が凸となるように湾曲している。頭部５３が湾曲面を有することにより、操作部材５を片手で容易に把持することができる。また、頭部５３の中央部に平坦面が形成されていることにより、両手で押圧操作を行う場合、その押圧操作を容易に行うことができる。
【０１２６】
また、頭部５３の基端面の中央には、突起５３５が形成されている。これにより、例えば、テーブル上に、液体投与具１０をその頭部５３が鉛直方向の下方となるように載置しようとしても転倒してしまうので、液体投与具１０の先端と基端とを逆にして把持してしまうことを防止することができる。
【０１２７】
また、頭部５３の先端面、すなわち内面の外周部には、弾性を有し、互いに対向するように配置された１対の腕部５３１が先端方向に突出形成されており、各腕部５３１の先端部には、それぞれ、外側に向かって突出する爪５３２が形成されている。また、頭部５３の先端面、すなわち内面の外周部には、弾性を有し、互いに対向するように配置された１対の腕部５３３が先端方向に突出形成されており、各腕部５３３の先端部には、それぞれ、外側に向かって突出する爪５３４が形成されている。
【０１２８】
そして、頭部５３の各腕部５３１の各爪５３２が各孔部５１８に挿入され、各爪５３２と各孔部５１８とが係合することにより、頭部５３と押し子５１とが連結されている。また、把持部５２の内側から頭部５３の各腕部５３３の各爪５３４が各孔部５２１に挿入され、各爪５３４と各孔部５２１とが係合することにより、頭部５３と把持部５２とが連結されている。
【０１２９】
補助部４０は、操作部材５の押し子５１を介してガスケット８を押圧する補助力（押圧力）を発生する機能を有している。図１に示すように、本実施形態では、補助部４０は、付勢部材であるコイルバネ９を有している。また、コイルバネ９は、伸長した状態で用いられる引っ張りバネである。このコイルバネ９は、コイルバネ本体９０と、コイルバネ本体９０の先端部に設けられ、内側構造体１に取り付けられる第１の取付部であるフック（図示せず）と、コイルバネ本体９０の基端部に設けられ、操作部材５に取り付けられる第２の取付部であるフック（図示せず）を有している。
【０１３０】
各フックの形状は、それぞれ、特に限定されないが、本実施形態では、例えば、Ｕ字状をなしている。なお、他の形状としては、例えば、Ｖ字状、コの字状等が挙げられる。
【０１３１】
また、コイルバネ９の軸方向から見たとき、コイルバネ９の内側に押し子５１が配置され、コイルバネ９は、押し子５１の外周に沿って巻かれている、すなわち、押し子５１の外周側にその押し子５１および筒体２と同心的に配置されている。そして、コイルバネ９は、伸長した状態で、一方のフックが外筒４の支持部４３に掛けられ、他方のフックが押し子５１のリブ５１３の溝５１３１に掛けられている。
【０１３２】
これにより、コイルバネ９は、内側構造体１と操作部材５とを互いに接近する方向に付勢する。すなわち、コイルバネ９は、操作部材５の押し子５１を介してガスケット８を先端方向に押圧する補助力を発生する。これにより、押圧操作の際、操作部材５を先端方向に容易に移動させることができる。
【０１３３】
ここで、コイルバネ９の付勢力（押圧力）をＦ１、コイルバネ１３の付勢力をＦ２、ガスケット８の摺動中の内筒３（筒体２）に対する薬液排出抵抗をＦ０としたとき、下記（１）式を満足するようにＦ０、Ｆ１が設定されている。
【０１３４】
Ｆ１≦Ｆ０      ・・・（１）
【０１３５】
これにより、液体を投与する際、使用者がガスケット８を摺動させるための力を加えることなく、自動的に押し子５１が先端方向に移動して液体が投与されてしまうことを防止することができる。すなわち、使用者の意図通りに、液体の投与を行うことができ、例えば、使用者のペースで液体を投与することができ、また、液体の投与を中断したい場合、瞬時に、液体の投与を中断することができる。
【０１３６】
また、Ｆ１は、１〜４０Ｎであることが好ましく、１〜１０Ｎであることがより好ましい。Ｆ１が前記下限値よりも小さいと、他の条件によっては、補助力が不十分となるおそれがある。また、Ｆ１が前記上限よりも大きいと、他の条件によっては、Ｆ２が小さくなり、両頭針７１の先端側針先がカバー部材６の先端から露出するおそれがある。
【０１３７】
また、Ｆ２は、１〜５Ｎであることが好ましく、１〜３Ｎであることがより好ましい。Ｆ２が前記下限値よりも小さいと、他の条件によっては、両頭針７１の先端側針先がカバー部材６の先端から露出するおそれがある。また、Ｆ２が前記上限よりも大きいと、他の条件によっては、コイルバネ１３の付勢力に抗してカバー部材６を基端方向に移動させることが困難である。
【０１３８】
なお、コイルバネ９の構成材料としては、特に限定されず、例えば、コイルバネ１３の構成材料と同様の材料を用いることができる。
【０１３９】
ロック部５０は、コイルバネ１３の付勢力によりカバー部材６が位置（Ｂ）から位置（Ａ）に移動し、カバー部材６の移動量がロック可能移動量に達すると、カバー部材６の位置（Ｂ）への移動を規制する機能を有している。
【０１４０】
図１、図１２、図１５に示すように、本実施形態では、ロック部５０は、前述したカバー部材６の突起６１３と、外筒４の長孔４４ｂとを有している。カバー部材６の移動量がロック可能移動量に達し、各突起６１３が各長孔４４ｂの基端部に係合することにより、外筒４に対するカバー部材６が基端方向への移動が阻止される。
【０１４１】
移動量規制部８０は、カバー部材６が位置（Ｂ）に位置し、押圧操作が完了するまで、コイルバネ１３の付勢力によりカバー部材６が先端方向に移動する際の移動量がロック可能移動量に達しないようにカバー部材６の移動量を規制する機能を有している。
【０１４２】
図１、図４、図６、図１７に示すように、本実施形態では、移動量規制部８０は、前述した回転子６５の１対の突起６７と、操作部材５の把持部５２の１対の階段５２４と、操作部材５の押し子５１の１対の突出片５１４とを有している。この移動量規制部８０の各部の寸法は、図１２に示すように、外筒４の長孔４４ｂの基端と、カバー部材６の突起６１３との間の距離をＬ１（突起６１３については図１５参照）、図２１に示すように、把持部５２の階段５２４の底部５２４２と、押し子５１の突出片５１４の傾斜面５１４１との間の距離をＬ２としたとき、Ｌ１＞Ｌ２の関係を満たすように設定されている。これにより、移動量規制部８０は、液体の投与において、押圧操作を中断し、カバー部材６の先端壁部６２を生体から離間させ、両頭針７１を生体から抜去した際、カバー部材６の各突起６１３が外筒４の各長孔４４ｂよりも基端側に位置した状態で、カバー部材６の各突起６７が操作部材５の各階段５２４の所定の段に当接し、カバー部材６の先端方向への移動を阻止する。これによって、カバー部材６の各突起６１３が各長孔４４ｂの基端部に係合することが阻止される。
【０１４３】
次に、液体投与具１０の使用方法と、その使用時の作動状態とについて、図１〜図３、図１９〜図２９を参照しつつ説明する。
【０１４４】
［１］  図１〜図３に示すように、未使用状態（初期状態）の液体投与具１０を用意する。この未使用状態の液体投与具１０では、カバー部材６は、第１の位置にあり、両頭針７１の先端側針先を覆っている。なお、この未使用状態では、コイルバネ１３の付勢力により、カバー部材６で両頭針７１の先端側針先が覆われた状態が維持されている。これにより、両頭針７１の先端側針先による誤穿刺を確実に防止することができる。
【０１４５】
また、穿刺針７は、両頭針７１の基端側針先が筒体２の内筒３の封止部材１１から離間しており、封止部材１１を未だ刺通していない。これにより、薬液の投与が開始されるまで、液体の無菌状態を維持することができる。
【０１４６】
また、カバー部材６の各突起６３は、外筒４に対して図２に示す位置に位置している。
【０１４７】
また、カバー部材６の各突起６１３は、外筒４の先端部の溝４３ｂの基端側に位置している。
【０１４８】
また、押し子５１の各段差部５１６が外筒４の各突起４９ａの傾斜面４９１ａに当接又は当接しうる位置（使用前は離間していてもよい）、すなわち、各突起４９ａと係合又は係合しうる位置にあり、これにより、内側構造体１（筒体２）に対する操作部材５の先端方向への移動が阻止されている。
【０１４９】
また、突起６３は、直線溝４２１に挿入されており、これにより、外筒４は、カバー部材６に対して回転することが阻止され、これにより、外筒４は、操作部材５に対して回転することが阻止されている。
【０１５０】
また、回転子６５の各突起６７は、操作部材５の各溝５２５内に位置している。
【０１５１】
［２］  次に、未使用状態の液体投与具１０の操作部材５を把持して、カバー部材６の先端壁部６２を生体に当接させ、操作部材５を先端方向に向かって押圧する（カバー本体６０を生体の表面に押し付ける）。これにより、カバー部材６は、コイルバネ１３の付勢力に抗して、操作部材５および内側構造体１に対して基端方向、すなわち、第１の位置から第２の位置へ移動する。また、その移動過程で、カバー部材６の先端壁部６２が穿刺針７の支持部材７２を基端部側に移動させる。
【０１５２】
このとき、両頭針７１の先端側針先が、カバー部材６の先端壁部６２の開口部６２１から突出して、その先端側針先での生体に対する穿刺が行なわれる。また、先端壁部６２が穿刺針７の支持部材７２を基端方向に向かって押圧する。これにより、両頭針７１の基端側針先で、内筒３の封止部材１１を刺通することができ、よって、生体を穿刺した両頭針７１と、内筒３とが連通する。
【０１５３】
このとき、カバー部材６の突起６３は、直線溝４２１に沿って、外筒４に対して相対的に基端方向に移動する。そして、カバー部材６が第２の位置にあるとき、カバー部材６の突起６３は、直線溝４２１の基端部に位置している。
【０１５４】
また、このときカバー部材６の各突起６１３は、外筒４の各溝４３ｂに沿って基端方向に移動し、各溝４３ｂの基端側の各空間４５ｂ（図１２参照）に位置した状態である。
【０１５５】
また、穿刺針７の各突起７２２は、カバー部材６の各孔部６２３に挿入され、これにより、穿刺針７が周方向に回動することが防止される。
【０１５６】
また、この際、穿刺針７の各突起７２１は、各横溝４２２ｂ内に位置し、各突起７２３は、各横溝４２３ｂ内に位置している。
【０１５７】
また、突起６３は、直線溝４２１の基端部に位置し、これにより、外筒４は、カバー部材６に対して回転することが可能となり、これにより、外筒４は、操作部材５に対して回転することが可能となる。
【０１５８】
また、突起６７は、基端方向に移動し、溝５２５の基端部に位置している。
【０１５９】
［３］  次に、操作部材５を先端方向に向かって押圧し続けると、カバー部材６は、第３の位置に到達する（図１９〜図２１参照）。これは、外筒４のカム溝４２およびカバー部材６の突起６３により、外筒４がカバー部材６および内筒３に対して所定角度回転し終わった状態である。なお、図１９〜図２１には、液体の投与が開始された状態が示されている。
【０１６０】
このとき、押し子５１の段差部５１６が突起４９ａの傾斜面４９１ａに沿って移動し、この際、外筒４は、回転方向の推進力を得る。さらに、コイルバネ９の回転方向の付勢力により、外筒４は、回転方向の推進力を得る。これにより、容易に、外筒４を回転させることができる。
【０１６１】
これにより、押し子５１の各段差部５１６は、外筒４の各突起４９ａからずれた位置に移動し、各段差部５１６と各突起４９ａとの係合が外れた状態である。これにより、筒体２に対する操作部材５の先端方向への移動が可能になる。これ以降は、各段差部５１６と各突起４９ａとの係合が外れた状態を維持するので、以降の本説明は省略する。
【０１６２】
なお、１つの連続した動作として、両頭針７１の生体への穿刺動作と、外筒４の回転動作と、後述する操作部材５の押圧操作とを円滑に行なうことができる。
【０１６３】
また、前述したように、穿刺針７の各突起７２１は、各横溝４２２ｂ内に位置し、各横溝４２２ｂを外筒４に対して相対的に移動することができ、また、各突起７２３は、各横溝４２３ｂ内に位置し、各横溝４２３ｂ内を外筒４に対して相対的に移動することができ、これにより、外筒４は、穿刺針７を回転させることなく、回転することができる。
【０１６４】
また、カバー部材６の突起６３は、傾斜溝４２２に沿って、外筒４に対して相対的に斜め上方方向に移動する。そして、カバー部材６が第３の位置にあるとき、カバー部材６の突起６３は、傾斜溝４２２の図２０中右側の端部に位置している。
【０１６５】
また、このときカバー部材６の各突起６１３は、回転し、各空間４５ｂにおける各長孔４４ｂの基端側の位置に移動した状態である。
【０１６６】
また、突起６７は、溝５２５の基端部に位置している。
【０１６７】
［４］  カバー部材６が第３の位置に位置している状態で、使用者の押圧力と、コイルバネ９の付勢力、すなわち、補助力（押圧力）により、操作部材５が先端方向に移動し、これにより、ガスケット８が先端方向に向かって移動することが可能となる。すなわち、前述した押圧操作が行なわれ、よって、液体の投与を行なうことができる。そして、図２２〜図２４に示すように、ガスケット８が内筒３の底部３２に当接し、液体の投与が完了、すなわち、押圧操作が完了し、カバー部材６が第４の位置に位置する。
【０１６８】
このとき、カバー部材６の突起６３は、傾斜溝４２２の図２３中右側の端部に位置したままである。
【０１６９】
また、カバー部材６の各突起６１３も、各空間４５ｂにおける各長孔４４ｂの基端側の位置に位置したままである。
【０１７０】
また、外筒４の各腕部４６ａの各爪４７ａは、押し子５１の各孔部５１７に挿入され、各孔部５１７と係合する。この際、各腕部４６ａは、一端、湾曲し、各爪４７ａが各孔部５１７から基端方向に突出した瞬間、その弾性力により元の形状に戻り、各腕部４６ａから音（可聴音）および振動（クリック感）が発生する。これにより、使用者は、液体の投与（押圧操作）が完了したことを認識することができる。
【０１７１】
また、使用後に外筒４と操作部材５とは、各爪４７ａと各孔部５１７との係合により固定される。これにより、使用後の操作部材５の作動を規制することができるとともに、使用者は、液体の投与が完了したことを認識することができる。
【０１７２】
また、カバー部材６のカバー本体６０および操作部材５の把持部５２には、それぞれ液体の投与が完了したか否かを表示する透明な窓部（図示せず）が設けられており、未使用状態（初期状態）では、その窓部において、外筒４の各突出片４３ａは、見えておらず、内筒３が見えている。そして、液体の投与が完了すると、前記窓部において、各突出片４３ａが見える。これにより、使用者は、液体の投与が完了したことを認識することができる。
【０１７３】
また、操作部材５が先端方向に移動する際、突出片５１４の傾斜面５１４１に回転子６５の突起６７が当接することにより、回転子６５は、押し子５１の平面視で、時計回りに回転する。回転子６５が回転すると、その回転子６５の回転量に応じて、回転子６５の各突起６７は、操作部材５の各階段５２４の所定の段の基端側に移動する。そして、液体の投与が完了すると、回転子６５の各突起６７は、各溝５２６の基端側に移動する。
【０１７４】
このように、前記［３］、［４］の工程では、外筒４の回転が完了後、操作部材５の移動が可能になるので、操作部材５の突出片５１４の傾斜面５１４１と回転子６５の突起６７が接触し、回転子６５の回転が始まる。そのため、薬液投与前に確実に回転子６５の回転を防ぐことができる。また、外筒４と回転子６５は連続的に回転することで、抵抗を少なく投与することができる。
【０１７５】
［５］  次に、図２５〜図２７に示すように、操作部材５を先端方向に向かって押圧するのを止め、カバー部材６の先端壁部６２を生体から離間させ、両頭針７１を生体から抜去する。
【０１７６】
これにより、コイルバネ１３の付勢力により、カバー部材６が先端方向、すなわち、カバー部材６は第５の位置（位置（Ａ））に移動し、カバー部材で両頭針７１の先端側針先が覆われる。
【０１７７】
また、この際、突起６７は、溝５２６の先端方向に移動し、カバー部材６の先端方向への移動量がロック可能移動量に達すると、突起６７が溝５２６の先端部（当接部）５２６１に当接することにより、操作部材５に対するカバー部材６の先端方向の位置が規制される、すなわち、カバー部材６の先端方向への移動が阻止される。これにより、カバー部材６が把持部５２から離脱するのが防止される。
【０１７８】
また、ロック部５０により、カバー部材６の位置（Ｂ）への移動が規制される。すなわち、カバー部材６の各突起６１３が各長孔４４ｂの基端部に係合することにより、カバー部材６が外筒４に対して基端方向へ移動することが阻止され、その結果カバー部材６で両頭針７１の先端側針先が覆われた状態が維持される。これにより、カバー部材６が基端方向へ移動できなくなるため、使用後の針刺し事故を防ぐセーフティ部として機能する。
【０１７９】
また、外筒４がカバー部材６に対して相対的に回転することで、カバー部材６の各突起６１３が外筒４の溝４３ｂ（初期状態）から長孔４４ｂに係合し、セーフティ部が機能することにより、直進型よりも初期状態に戻りにくく、使用前後の状態がわかりやすいため、再使用を防止できる。さらに、使用された液体投与具１０を安全に、使用前の液体投与具１０と間違うことなく確実に廃棄することができる。
【０１８０】
また、カバー部材６の突起６３は、直線溝４２３に沿って、カバー部材６に対して相対的に先端方向に移動し、カバー部材６が第５の位置にあるとき、カバー部材６の突起６３は、外筒４に対して図２６に示す位置に位置している。
【０１８１】
［６］  ここで、液体の投与の際、押圧操作が完了する前に、例えば液体による痛みや両頭針７１による穿刺痛が生じて、両頭針７１を生体から一旦抜去し、液体の投与を中断することがある。
【０１８２】
この場合、操作部材５を先端方向に向かって押圧するのを止め（生体の表面へのカバー本体６０の押し付けを解除し）、カバー部材６の先端壁部６２を生体から離間させ、両頭針７１を生体から抜去する。
【０１８３】
これにより、コイルバネ１３の付勢力により、カバー部材６が先端方向に移動しようとするが、カバー部材６の各突起６１３が外筒４の各長孔４４ｂよりも基端側に位置した状態で、カバー部材６の各突起６７が操作部材５の各階段５２４の所定の段に当接し、カバー部材６の先端方向への移動が阻止される（図２８、図２９参照）。
【０１８４】
なお、この際、カバー部材６の各突起６７が操作部材５の各階段５２４の所定の段に当接するまでの間に、カバー部材６が所定距離移動するように設定することもでき、また、カバー部材６が全く移動しないように設定することもできる。また、前述したように、カバー部材６の各突起６７が操作部材５の各階段５２４の所定の段に当接した状態で、図２９に示すように、カバー部材６の先端から両頭針７１の先端側針先が露出するように設定することもでき、また、図２８に示すように、露出しないように設定することもできる。
【０１８５】
このように、各突起６７が各階段５２４の所定の段に当接することにより、コイルバネ１３の付勢力によりカバー部材６が先端方向に移動する際の移動量がロック可能移動量に達しないようにカバー部材６の移動量が規制される。これにより、ロック部５０によるカバー部材６の位置（Ｂ）への移動の規制は行われない。
【０１８６】
液体の投与を再開する場合は、前記［２］で述べたように、カバー部材６の先端壁部６２を生体に当接させ、操作部材５を先端方向に向かって押圧する。この際、カバー部材６は、位置（Ｂ）へ移動することができ、液体の投与が再開される。
【０１８７】
以上説明したように、液体の投与を行なう際に、例えば液体による痛みや両頭針７１による穿刺痛が生じて、両頭針７１を生体から一旦抜去し、液体の投与を中断することがある。この場合、コイルバネ１３の付勢力によりカバー部材６が先端方向に移動して位置（Ａ）に戻り、そのカバー部材６の移動量がロック可能移動量に達すると、ロック部５０によりカバー部材６の位置（Ｂ）への移動が規制されてしまうが、この液体投与具１０によれば、移動量規制部８０がカバー部材６の移動量を規制することにより、このような状態となるのを確実に阻止することができる。そして、痛みが消失した後に、両頭針７１を生体に再度穿刺して、押圧操作を再開することができる。
【０１８８】
このように、この液体投与具１０によれば、液体の投与を行なう際に、液体の投与を中断した場合でも、液体の投与が完了するまでは、その投与を確実に再開することができる。これにより、所望の液体の投与を確実に行なうことができる。
【０１８９】
また、液体の投与が完了した後は、カバー部材６が位置（Ａ）に戻り、そのカバー部材６の移動量がロック可能移動量に達すると、ロック部５０により、カバー部材６の位置（Ｂ）への移動が規制される。これにより、カバー部材６で両頭針７１の先端側針先が覆われた状態が維持され、これによって、使用後の両頭針７１の先端側針先による誤穿刺を確実に防止することができる。
【０１９０】
また、液体の投与を行なう際は、コイルバネ９の付勢力、すなわち補助力により、操作部材５の先端方向への移動を補助することができる。これにより、例えば、両頭針７１として比較的細い両頭針を用いたり、比較的粘度の高い液体を投与する場合でも容易かつ確実に液体を投与することができ、また、例えば、力の弱い高齢者や女性、手指に痛みや変形があるリウマチ患者等、操作部材５を押圧操作することが困難な使用者でも容易かつ確実に液体を投与することができる。
【０１９１】
また、コイルバネ９の付勢力は、押圧操作の補助力として用いられるので、使用者のペースで液体を投与することができる。
【０１９２】
また、１つの連続した動作として、両頭針７１の生体への穿刺動作と、外筒４の回転動作と、操作部材５の押圧操作とを円滑に行なうことができる。
【０１９３】
＜第２実施形態＞
図３０は、本発明の液体投与具の第２実施形態における主要部を模式的に示す図である。
【０１９４】
以下、第２実施形態について、前述した第１実施形態との相違点を中心に説明し、同様の事項については、その説明を省略する。
【０１９５】
図３０に示すように、第２実施形態の液体投与具１０では、移動量規制部８０の階段５２４の各段の間隔を第１実施形態に比べて狭く設定している。これにより、液体の投与を中断する際、移動量規制部８０により規制されるカバー部材６の移動量の精度をより高くすることができる。
【０１９６】
この液体投与具１０によれば、前述した第１実施形態と同様の効果が得られる。
【０１９７】
なお、第２実施形態は、第３、第５、第６実施形態にも適用することができる。
【０１９８】
＜第３実施形態＞
図３１は、本発明の液体投与具の第３実施形態における主要部を模式的に示す図である。
【０１９９】
以下、第３実施形態について、前述した第１実施形態との相違点を中心に説明し、同様の事項については、その説明を省略する。
【０２００】
図３１に示すように、第３実施形態の液体投与具１０では、移動量規制部８０の１対の階段５２４の一方と他方との対応する各段の高さ（操作部材５の基端からの軸方向の距離）を異ならせ、各段の高さが一方の階段５２４と他方の階段５２４とで交互に高くなるように構成されている。また、回転子６５の各突起６７が、一方の階段５２４と他方の階段５２４とに交互に係合するように構成されている。これにより、液体の投与を中断する際、移動量規制部８０により規制されるカバー部材６の移動量の精度をより高くすることができる。
【０２０１】
この液体投与具１０によれば、前述した第１実施形態と同様の効果が得られる。
【０２０２】
なお、第３実施形態は、第５、第６実施形態にも適用することができる。
【０２０３】
＜第４実施形態＞
図３２は、本発明の液体投与具の第４実施形態における主要部を模式的に示す図である。
【０２０４】
以下、第４実施形態について、前述した第１実施形態との相違点を中心に説明し、同様の事項については、その説明を省略する。
【０２０５】
図３２に示すように、第４実施形態の液体投与具１０では、移動量規制部８０は、階段５２４に代えて、平坦部（係合部）５２７を有している。この平坦部５２７は、回転子６５の突起６７が平坦部５２７に当接（係合）した状態で、カバー部材６の突起６１３が外筒４の長孔４４ｂよりも基端側に位置するように設定されている。
【０２０６】
この液体投与具１０によれば、前述した第１実施形態と同様の効果が得られる。
【０２０７】
なお、第４実施形態は、第５、第６実施形態にも適用することができる。
【０２０８】
＜第５実施形態＞
図３３は、本発明の液体投与具の第５実施形態における主要部を模式的に示す図である。
【０２０９】
以下、第５実施形態について、前述した第１実施形態との相違点を中心に説明し、同様の事項については、その説明を省略する。
【０２１０】
図３３に示すように、第５実施形態の液体投与具１０では、移動量規制部８０の階段５２４の各段と、回転子６５の突起６７とは、それぞれ、互いに係合する傾斜面５２４１と、傾斜面６７１とを有している。これにより、液体の投与を中断する際、階段５２４の段と突起６７とが係合し状態を確実に維持することができ、カバー部材６の先端方向への移動をより確実に阻止することができる。
【０２１１】
この液体投与具１０によれば、前述した第１実施形態と同様の効果が得られる。
【０２１２】
なお、第５実施形態は、第６実施形態にも適用することができる。
【０２１３】
＜第６実施形態＞
図３４は、本発明の液体投与具の第６実施形態を示す縦断面図である。図３５は、図３４に示す液体投与具のカバー部材の回転子の斜視図である。図３６は、図３４に示す液体投与具の操作部の把持部の斜視図である。図３７は、図３４に示す液体投与具のカバー部材および操作部の把持部の斜視図である。
【０２１４】
以下、第６実施形態について、前述した第１実施形態との相違点を中心に説明し、同様の事項については、その説明を省略する。
【０２１５】
図３４〜図３７に示すように、第６実施形態の液体投与具１０では、移動量規制部８０は、回転子６５に設けられた１対の突起（第１の突起）６７および１対の突起（第２の突起）６８と、操作部材５の把持部５２に設けられた１対の階段５２４および１対の屋根５２８とを有している。
【０２１６】
１対の突起６８は、回転子６５の外周面に、外側に向かって突出し、互いに対向するように形成されている。
【０２１７】
また、１対の屋根５２８は、把持部５２の内周面に、互いに対向するように形成されている。また、各屋根５２８の先端側の面は、把持部５２の周方向に沿って傾斜する傾斜面（当接面）５２８１になっている。押圧操作の際は、各屋根５２８の傾斜面５２８１に回転子６５の突起６８が当接することにより、回転子６５は、平面視で、時計回りに回転する。このように各屋根５２８の傾斜面５２８１は、押圧操作の際、各突起６８に当接し、回転子６５を回転させる機能、すなわち、第１実施形態の押し子５１の各突出片５１４と同様の機能を有している。
【０２１８】
この液体投与具１０によれば、前述した第１実施形態と同様の効果が得られる。
【０２１９】
＜第７実施形態＞
図３８は、本発明の液体投与具の第７実施形態を示す縦断面図である。図３９は、図３８に示す液体投与具の側面図である。図４０は、図３８に示す液体投与具の操作部材の押し子の斜視図である。図４１は、図３８に示す液体投与具の操作部材の把持部の断面斜視図である。図４２は、図３８に示す液体投与具のカバー部材の斜視図である。図４３は、図３８に示す液体投与具の使用時の作動状態を順に示す縦断面図である。図４４は、図３８に示す液体投与具の使用時の作動状態を順に示す側面図である。図４５は、図３８に示す液体投与具の使用時の作動状態を順に示す縦断面図である。図４６は、図３８に示す液体投与具の使用時の作動状態を順に示す側面図である。図４７は、図３８に示す液体投与具の使用時の作動状態を順に示す縦断面図である。図４８は、図３８に示す液体投与具の使用時の作動状態を順に示す側面図である。図４９は、図３８に示す液体投与具の使用時の作動状態を順に示す縦断面図である。図５０は、図３８に示す液体投与具の使用時の作動状態を順に示す側面図である。
【０２２０】
以下、第７実施形態について、前述した第１実施形態との相違点を中心に説明し、同様の事項については、その説明を省略する。
【０２２１】
図３８〜図４２に示す第７実施形態の液体投与具１０では、液体の投与を中断する際、カバー部材６の先端から両頭針７１の先端側針先が露出しないように構成されている。
【０２２２】
図４０に示すように、操作部材５の押し子５１のフランジ５１２の先端側には、弾性を有し、互いに対向するように配置された１対の腕部５１９が先端方向に突出形成されており、各腕部５１９の先端部には、それぞれ、内側に向かって突出する爪５１９１が形成されている。そして、各腕部５１９の各爪５１９１が把持部５２の各孔部５２１に挿入され、各爪５１９１と各孔部５２１とが係合することにより、押し子５１と把持部５２とが連結されている。
【０２２３】
また、押し子５１のフランジ５１２の先端側には、互いに対向するように配置された１対のリブ５１０が先端方向に突出形成されている。
【０２２４】
また、図４１に示すように、把持部５２の内周面には、その把持部５２の軸方向に沿って複数の凹部（係合部）５２９が形成されている。そして、この複数の凹部５２９で構成される凹部群は、互いに対向するように、１対形成されている。また、把持部５２の内周面には、互いに対向するように配置された１対の溝５２０が形成されている。各溝５２０は、それぞれ、Ｌ字状をなし、把持部５２の軸方向および周方向に延在している。
【０２２５】
また、図４２に示すように、カバー部材６のカバー本体６０の側壁６１の基端部には、互いに対向するように配置された１対の長孔６１７が形成されている。各長孔６１７は、それぞれ、Ｌ字状をなし、側壁６１の軸方向および周方向に延在している。
【０２２６】
また、回転子６５の先端側には、弾性を有し、互いに対向するように配置された１対の腕部６６が先端方向に突出形成されており、各腕部６６の先端部には、それぞれ、外側に向かって突出する爪６６１が形成されている。各爪６６１は、カバー本体６０の基端側の内側より各長孔６１７に挿入され、各爪６６１と各長孔６１７とが係合し、回転子６５とカバー本体６０とが連結されている。各爪６６１は、各長孔６１７に沿ってカバー本体６０の軸方向および周方向に移動でき、これにより、回転子６５は、カバー本体６０に対し、カバー本体６０の軸方向に相対的に移動することができ、また、カバー本体６０の中心軸回りに相対的に回転することができる。
【０２２７】
また、回転子６５には、弾性を有し、互いに対向するように配置された１対の腕部６９が基端方向に突出形成されており、各腕部６９の先端部には、それぞれ、外側に向かって突出する爪（突起）６９１が形成されている。各爪６９１は、それぞれ、カバー部材６の各複数の凹部５２９や、各溝５２０と係合し得るようになっている。
【０２２８】
また、回転子６５の基端側には、互いに対向するように配置された１対の切欠部６５１が形成されている。各切欠部６５１の基端側の面は、回転子６５の周方向に沿って傾斜する傾斜面（当接面）６５２になっている。押圧操作の際は、その押圧操作が完了する直前に、各切欠部６５１の各傾斜面６５２に押し子５１の各リブ５１０が当接することにより、回転子６５は、平面視で、時計回りに回転する。
【０２２９】
次に、液体投与具１０の使用方法と、その使用時の作動状態とについて、図３８、図３９、図４３〜図５０を参照しつつ説明する。
【０２３０】
［１］  図３８および図３９に示すように、未使用状態（初期状態）の液体投与具１０を用意する。この未使用状態の液体投与具１０では、回転子６５の各爪６９１は、把持部５２の複数の凹部５２９のうちの先端側の凹部５２９に係合している。
【０２３１】
［２］  図４３および図４４に示すように、液体の投与中は、回転子６５の各爪６９１は、把持部５２の複数の凹部５２９に沿って基端方向に移動する。
【０２３２】
また、押圧操作（液体の投与）が完了する直前に、各切欠部６５１の各傾斜面６５２に押し子５１の各リブ５１０が当接することにより、回転子６５は、平面視で、時計回りに回転する。そして、この際、回転子６５の各爪６６１は、各長孔６１７の先端部をカバー本体６０の周方向に移動する（図４６参照）。
【０２３３】
［３］  図４５および図４６に示すように、液体の投与が完了すると、回転子６５の各爪６６１は、各長孔６１７の先端部に係合し、これにより、回転子６５のカバー本体６０に対する軸方向の移動が阻止され、回転子６５とカバー本体６０とは、一体的に、軸方向に移動可能となる。
【０２３４】
また、回転子６５の各爪６９１は、カバー本体６０の各溝５２０の図４１中右側の部位、すなわち、複数の凹部５２９のない部位に位置する。
【０２３５】
［４］  次に、図４７および図４８に示すように、操作部材５を先端方向に向かって押圧するのを止め、カバー部材６の先端壁部６２を生体から離間させ、両頭針７１を生体から抜去する。
【０２３６】
これにより、コイルバネ１３の付勢力により、カバー部材６が先端方向、すなわち、カバー部材６は位置（Ａ）に移動し、カバー部材で両頭針７１の先端側針先が覆われる。
【０２３７】
また、この際、回転子６５の各爪６９１は、カバー本体６０の各溝５２０に沿って先端方向へ移動し、カバー部材６の先端方向への移動量がロック可能移動量に達すると、各爪６９１が各溝５２０の先端部（当接部）に当接することにより、操作部材５に対するカバー部材６の先端方向の位置が規制される、すなわち、カバー部材６の先端方向への移動が阻止される。これにより、カバー部材６が把持部５２から離脱するのが防止される。
【０２３８】
また、ロック部５０により、カバー部材６の位置（Ｂ）への移動が規制される。
【０２３９】
［５］  ここで、液体の投与の際、押圧操作が完了する前に、例えば液体による痛みや両頭針７１による穿刺痛が生じて、両頭針７１を生体から一旦抜去し、液体の投与を中断することがある。
【０２４０】
この場合、操作部材５を先端方向に向かって押圧するのを止め（生体の表面へのカバー本体６０の押し付けを解除し）、カバー部材６の先端壁部６２を生体から離間させ、両頭針７１を生体から抜去する。
【０２４１】
これにより、図４９および図５０に示すように、コイルバネ１３の付勢力により、カバー部材６が先端方向に移動する。この場合、回転子６５は、その各爪６９１が把持部５２の複数の凹部５２９のうちの所定の凹部５２９に係合し、先端方向への移動が阻止される。一方、カバー本体６０は、先端方向へ移動するが、カバー部材６の各突起６１３が外筒４の各長孔４４ｂよりも基端側に位置した状態で、回転子６５の各爪６６１がカバー本体６０の各長孔６１７の基端部に係合し、カバー本体６０の先端方向への移動が阻止される。
【０２４２】
なお、前記各爪６６１が各長孔６１７の基端部に係合した状態では、カバー部材６の先端から両頭針７１の先端側針先が露出しない。
【０２４３】
このように、移動量規制部８０により、コイルバネ１３の付勢力によりカバー部材６が先端方向に移動する際の移動量がロック可能移動量に達しないようにカバー部材６の移動量が規制される。これにより、ロック部５０によるカバー部材６の位置（Ｂ）への移動の規制は行われない。
【０２４４】
液体の投与を再開する場合は、カバー部材６の先端壁部６２を生体に当接させ、操作部材５を先端方向に向かって押圧する。この際、カバー部材６は、位置（Ｂ）へ移動することができ、液体の投与が再開される。
【０２４５】
この液体投与具１０によれば、前述した第１実施形態と同様の効果が得られる。
【０２４６】
以上、本発明の液体投与具を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【０２４７】
また、本発明は、前記各実施形態のうちの、任意の２以上の構成（特徴）を組み合わせたものであってもよい。
【０２４８】
また、前記実施形態では、穿刺針は、両頭針である針管を有するものであるが、本発明では、これに限定されず、基端側の針先が省略された針管を有するものであってもよい。この場合、針管は、予め（未使用状態で既に）内筒と連通している。
【０２４９】
また、前記実施形態では、筒体内に予め液体が充填されているが、本発明では、これに限らず、例えば、当初は筒体内に液体が充填されておらず、後から筒体内に液体を充填して使用するようになっていてもよい。
【０２５０】
また、前記実施形態では、付勢部材であるコイルバネ１３は、圧縮バネであるが、本発明では、これに限らず、例えば、引っ張りバネ等でもよく、また、バネ以外のものであってもよい。
【０２５１】
また、前記実施形態では、付勢部材であるコイルバネ９は、引っ張りバネであるが、本発明では、これに限らず、例えば、圧縮バネ等でもよく、また、バネ以外のものであってもよい。
【０２５２】
また、前記実施形態では、付勢部材であるコイルバネ９の付勢力は、押圧操作の補助力として用いられるように構成されているが、本発明では、これに限らず、コイルバネ９の付勢力により、自動的に液体の投与がなされるように構成されていてもよい。また、コイルバネ９が省略されていてもよい。
【０２５３】
また、前記実施形態では、内側でガスケットが摺動する筒体は、内筒と外筒との２部材で構成されていたが、本発明では、これに限定されず、例えば、１部材で構成されていてもよい。
【０２５４】
また、本発明では、ガスケットが省略されていてもよい。この場合は、例えば、押し子の先端部がガスケットして機能するように構成する。
【産業上の利用可能性】
【０２５５】
本発明の液体投与具は、先端部に底部、基端部に開口部を有し、内部に液体を充填可能な筒体と、該筒体の先端部に位置し、先端に鋭利な針先を有し、基端が前記筒体の内部と連通可能な針管とを備える構造体と、
押し子を有し、該押し子を先端方向に移動して、前記液体を前記針管から吐出させる押圧操作を行なう操作部材と、
前記針管の少なくとも前記針先を覆う位置（Ａ）と、該位置（Ａ）から基端方向に退避して、前記針先が露出する位置（Ｂ）との間を移動可能なカバー部材と、
前記カバー部材を先端方向に付勢する付勢部材と、
前記付勢部材の付勢力により前記カバー部材が前記位置（Ｂ）から前記位置（Ａ）に移動し、前記カバー部材の移動量がロック可能移動量に達すると、前記カバー部材の前記位置（Ｂ）への移動を規制するロック部と、
前記カバー部材が前記位置（Ｂ）に位置し、前記押圧操作が完了するまで、前記付勢部材の付勢力により前記カバー部材が先端方向に移動する際の移動量が前記ロック可能移動量に達しないように前記カバー部材の移動量を規制する移動量規制部とを備えることを特徴とする。【０２５６】
液体の投与を行なう際に、例えば液体による痛みや針管による穿刺痛が生じて、針管を生体から一旦抜去し、液体の投与を中断することがある。この場合、付勢部材の付勢力によりカバー部材が先端方向に移動して位置（Ａ）に戻り、そのカバー部材の移動量がロック可能移動量に達すると、ロック部によりカバー部材の位置（Ｂ）への移動が規制されてしまうが、移動量規制部がカバー部材の移動量を規制することにより、このような状態となるのを確実に阻止することができる。そして、痛みが消失した後に、針管を生体に再度穿刺して、押圧操作を再開することができる。【０２５７】
このように、本発明によれば、液体の投与を行なう際に、液体の投与を中断した場合でも、液体の投与が完了するまでは、その投与を確実に再開することができる。これにより、所望の液体の投与を確実に行なうことができる。【０２５８】
また、液体の投与が完了した後は、ロック部により、カバー部材６の位置（Ｂ）への移動が規制され、これにより、カバー部材で針管の針先が覆われた状態が維持され、これによって、使用後の針管の針先による誤穿刺を確実に防止することができる。したがって産業上の利用可能性を有する。
【符号の説明】
【０２５９】
１０            液体投与具
１              内側構造体
２              筒体
３              内筒
３１            内筒本体
３２            底部
３３            側壁
３４            口部
４              外筒
４１            胴部
４２            カム溝
４２１、４２３  直線溝
４２２          傾斜溝
４３            支持部
４ａ            基端側部材
４０ａ          突出部
４１ａ          腕部
４２ａ          爪
４３ａ          突出片
４５ａ          縮径部
４６ａ          腕部
４７ａ          爪
４９ａ          突起
４９１ａ        傾斜面
４ｂ            先端側部材
４１ｂ          孔部
４２ｂ          縮径部
４２０ｂ        溝群
４２１ｂ        縦溝
４２２ｂ、４２３ｂ  横溝
４３ｂ          溝
４４ｂ          長孔
４５ｂ          空間
５              操作部材
５１            押し子
５１０          リブ
５１１          本体部
５１２          フランジ
５１３          リブ
５１３１        溝
５１４          突出片
５１４１        傾斜面
５１５、５１７、５１８  孔部
５１６          段差部
５１９          腕部
５１９１        爪
５２            把持部
５２０、５２２、５２３、５２５、５２６  溝
５２６１        先端部
５２１          孔部
５２４          階段
５２４１        傾斜面
５２４２        底部
５２７          平坦部
５２８          屋根
５２８１        傾斜面
５２９          凹部
５３            頭部
５３１、５３３  腕部
５３２、５３４  爪
５３５          突起
６              カバー部材
６０            カバー本体
６１            側壁
６１２          腕部
６１３          突起
６１４、６１６  リブ
６１５、６１７  長孔
６２            先端壁部
６２１          開口部
６２２          先端面
６２３          孔部
６３            突起
６５            回転子
６５１          切欠部
６５２          傾斜面
６６            腕部
６６１          爪
６７、６８      突起
６９            腕部
６９１          爪
６７１          傾斜面
７              穿刺針
７１            両頭針
７２            支持部材
７２１、７２２、７２３  突起
７２４          リブ
８              ガスケット
８１            突部
９              コイルバネ
９０            コイルバネ本体
１１            封止部材
１２            固定部材
１３            コイルバネ
４０            補助部
５０            ロック部
８０            移動量規制部
【図１】
2015037545.tif 000003
【図２】
2015037545.tif 000004
【図３】
2015037545.tif 000005
【図４】
2015037545.tif 000006
【図５】
2015037545.tif 000007
【図６】
2015037545.tif 000008
【図７】
2015037545.tif 000009
【図８】
2015037545.tif 000010
【図９】
2015037545.tif 000011
【図１０】
2015037545.tif 000012
【図１１】
2015037545.tif 000013
【図１２】
2015037545.tif 000014
【図１３】
2015037545.tif 000015
【図１４】
2015037545.tif 000016
【図１５】
2015037545.tif 000017
【図１６】
2015037545.tif 000018
【図１７】
2015037545.tif 000019
【図１８】
2015037545.tif 000020
【図１９】
2015037545.tif 000021
【図２０】
2015037545.tif 000022
【図２１】
2015037545.tif 000023
【図２２】
2015037545.tif 000024
【図２３】
2015037545.tif 000025
【図２４】
2015037545.tif 000026
【図２５】
2015037545.tif 000027
【図２６】
2015037545.tif 000028
【図２７】
2015037545.tif 000029
【図２８】
2015037545.tif 000030
【図２９】
2015037545.tif 000031
【図３０】
2015037545.tif 000032
【図３１】
2015037545.tif 000033
【図３２】
2015037545.tif 000034
【図３３】
2015037545.tif 000035
【図３４】
2015037545.tif 000036
【図３５】
2015037545.tif 000037
【図３６】
2015037545.tif 000038
【図３７】
2015037545.tif 000039
【図３８】
2015037545.tif 000040
【図３９】
2015037545.tif 000041
【図４０】
2015037545.tif 000042
【図４１】
2015037545.tif 000043
【図４２】
2015037545.tif 000044
【図４３】
2015037545.tif 000045
【図４４】
2015037545.tif 000046
【図４５】
2015037545.tif 000047
【図４６】
2015037545.tif 000048
【図４７】
2015037545.tif 000049
【図４８】
2015037545.tif 000050
【図４９】
2015037545.tif 000051
【図５０】
2015037545.tif 000052
【国際調査報告】
2015037545.tif 000053
2015037545.tif 000054
2015037545.tif 000055